(57)【要約】      （修正有）【課題】視認性を高めるため標示板の上部に警告灯を配置できる警告灯取付装置を提供する。【解決手段】取付装置１を、警告灯２を道路標識３の上部に配置させるように、道路標識３の上部に配設する。取付装置１を、警告灯２の本体部２２が収納される収納部と、収納部の標示板３１の上側の枠フレーム３１３に掛けられ収納部を標示板３１の裏面３１２側に配置する支持部１２と、該支持部１２より下側に配置され標示板３１の裏面３１２と当接するストッパー１３とを備える構成とする。【選択図】図２
0003170968.tif 000002
【実用新案登録請求の範囲】
【請求項１】
発光体を有する発光部と前記発光部を支持する本体部とを備える警告灯を、
表面と裏面とを有し前記表面に標示が施される板状の標示板と、前記標示板に連結され前記標示板の前記表面が斜め上方を向いて配置されるように形成された脚フレーム部と、を備える道路標識の上部に配置する警告灯取付装置であって、
開口部を有して前記開口部から前記警告灯の前記本体部が収納されて前記発光部を上方に突出させる箱状の収納部と、
前記収納部に設けられ、前記標示板の上側の外周縁部に掛けられて前記収納部を前記標示板の前記裏面側に配置する支持部と、
を備えていることを特徴とする警告灯取付装置。
【請求項２】
前記支持部が、前記収納部の前記標示板の前記裏面と対向する面側に配設され、
前記収納部の前記標示板の前記裏面と対向する面には、前記標示板の前記裏面側に突出して、前記標示板の前記裏面と当接するストッパーが配置され、
前記支持部より下側に前記ストッパーが配置されることを特徴とする請求項１記載の警告灯取付装置。
【請求項３】
前記ストッパーの前記標示板の前記裏面との当接部が、前記標示板の前記裏面と面接触可能に形成されていることを特徴とする請求項２記載の警告灯取付装置。
【考案の詳細な説明】
【技術分野】
【０００１】
本考案は、警告灯の視認性を高め設置状態を安定させることができる警告灯取付装置に関するものである。
【背景技術】
【０００２】
従来、点滅警告装置として、特許文献１に記載されたものがあった。これによると、道路工事等で多用される円錐形状のカラーコーンに環状の警告灯保持環が上部から着脱自在に嵌着され、警告灯保持環に、裏面にダイヤカットが施されている光ゼネレータに、小孔があけられこの小孔の背後に発光ダイオードが備えられている点滅警告灯が、４個固着されていた。
【先行技術文献】
【特許文献】
【０００３】
【特許文献１】実開平６−２４０１２号公報
【考案の概要】
【考案が解決しようとする課題】
【０００４】
しかし、上記に示す従来の点滅警告装置では、カラーコーンの上部に複数の点滅警告灯が嵌着されているので、カラーコーンの重心が上方に移動し設置状態が安定しないという問題があった。
【０００５】
また、地面に置くタイプの警告灯があるが視認性が悪いという問題があった。
【０００６】
一方、カラーコーンよりも目立つ標示板の上に警告灯を配置したいという要望があった。
【０００７】
本考案は、上記事情に鑑み、視認性を高めるため標示板の上部に警告灯を配置できる警告灯取付装置を提供することを目的とする。
【課題を解決するための手段】
【０００８】
請求項１記載の考案の警告灯取付装置では、開口部を有して開口部から警告灯の本体部が収納されて発光部を上方に突出させる箱状の収納部と、収納部に設けられ、標示板の上側の外周縁部に掛けられて収納部を標示板の裏面側に配置する支持部と、を備える構成としているので、標示板の上部に警告灯を配置できる。
【０００９】
請求項２記載の考案の警告灯取付装置では、支持部が、収納部の標示板の裏面と対向する面側に配設され、収納部の標示板の裏面と対向する面には、標示板の裏面側に突出して、標示板の裏面と当接するストッパーが配置され、支持部より下側にストッパーが配置される構成としている。
【００１０】
ストッパーが標示板の裏面と当接することで、警告灯が収納された収納部の揺動が止められるので、設置状態の安定性を向上させることができる。
【００１１】
請求項３記載の考案の警告灯取付装置では、ストッパーの標示板の裏面との当接部を、標示板の裏面と面接触可能に形成している。これにより、ストッパーが、標示板の裏面に当接する際の、単位面積当たりの力のかかりを減少させることができるので、標示板を傷つけることを防止することができる。
【考案の効果】
【００１２】
視認性を高めるため標示板の上部に警告灯を配置できる。
【図面の簡単な説明】
【００１３】
【図１】本考案の一実施形態の警告灯取付装置の使用状態の斜視図である。
【図２】図１における側面断面図である。
【図３】図２の部分拡大図である。
【図４】図１の警告灯の斜視図である。
【考案を実施するための形態】
【００１４】
本考案の警告灯取付装置の一実施形態について図面に基づいて説明する。以下の説明では、図１における路面Ｆ側を下とし、その反対側を上とする。表面３１１側を前とし裏面３１２側を後ろとする。上下方向及び前後方向に直交する方向を左右方向とする。
【００１５】
警告灯取付装置（以下、「取付装置」という。）１は、図１に示すように、警告灯２を道路標識３の上部に配置させるように、道路標識３の上部に配設されている。
【００１６】
警告灯２は、図４に示すように、発光体を有する発光部２１と発光部２１を支持する本体部２２とを備えている。
【００１７】
発光部２１は、八角形で平板状に形成され前後方向から見て中央部から放射線状にＬＥＤライト２１１が複数配置されている。発光部２１は、下端部で本体部２２に支持されている。
【００１８】
本体部２２は、金属製で箱状に形成され内部に図示しない電源及び制御回路が配設されている。本体部２２の下部には、補助脚部２２１が配設されている。補助脚部２２１は長尺板二枚を長手方向中央部で軸支して上下方向から見てＸ字状をなし、本体部２２内に収まるように閉じることが可能に形成されている。
【００１９】
警告灯２は、本体部２２内の制御回路の制御により、ＬＥＤライト２１１を点灯又は点滅させ車両の運転者に注意喚起を行ない、図４に示すように、補助脚部２２１を広げた状態で地面にも設置可能なものである。
【００２０】
道路標識３は、図１、２に示すように、標示が施される標示板３１と、標示板３１に連結され標示板３１が鉛直方向に対して所定角度傾斜して配置されるように形成された脚フレーム部３２、３２と、を備えている。
【００２１】
標示板３１は、金属製で板状に形成され表面３１１と裏面３１２とを有し、表面３１１に案内表示又は指示表示が施されている。標示板３１の外周縁部には、棒状の枠フレーム３１３が設けられている。標示板３１の上辺及び下辺の中央部には、対向する辺側に向かって切り欠かれた把持部３１４、３１４がそれぞれ形成されている。
【００２２】
脚フレーム部３２は、金属製で棒状に形成され、左右方向から見て略台形で標示板３１が鉛直方向に対して２０度傾斜するとともに表面３１１が斜め上方を向いて配置されるように形成されている。脚フレーム部３２の標示板３１の裏面３１２側に配置される部分が、標示板３１の裏面３１２の左右方向の端部で回動可能に連結されている。
【００２３】
以下に、本考案の要部を説明する。
【００２４】
取付装置１は金属製で、図１、２、３に示すように、警告灯２の本体部２２が収納される収納部１１と、標示板３１の上側の枠フレーム３１３に掛けられ収納部１１を標示板３１の裏面３１２側に配置する支持部１２と、支持部１２より下側に配置され標示板３１の裏面３１２と当接するストッパー１３と、を備えている。
【００２５】
収納部１１は、箱状で上方に開口する開口部１１２を有し下方が閉塞して、開口部１１２から警告灯２の本体部２２が収納されて発光部２１を上方に突出させるように形成されている。
【００２６】
支持部１２は、収納部１１と一体に形成されて収納部１１の標示板３１の裏面３１２との対向面１１１側に配設され、側面視において対向面１１１の上端部から前方向に突出して自由端１２１側が下方に向かって突出する断面略Ｌ字状に形成されている。
【００２７】
ストッパー１３は、収納部１１の対向面１１１に配置され、標示板３１の裏面３１２側に突出するよう形成されている。ストッパー１３は、長尺板を折り曲げて形成され、標示板３１の裏面３１２と当接する当接部１３１を有している。当接部１３１は、支持部１２が枠フレーム３１３に掛けられた時、標示板３１の裏面３１２と面接触可能に対向面１１１に対して傾斜して形成されている。
【００２８】
取付装置１の作用について説明する。
【００２９】
支持部１２を、鉛直方向に対して２０度傾斜するとともに表面３１１が斜め上方を向いて配置される標示板３１の上側の枠フレーム３１３に掛けると、重力の作用により収納部１１に収納された警告灯２の重心は低い位置を保とうとするので、標示板３１の裏面３１２に向かって揺動する。
【００３０】
図３の状態では、収納部１１の対向面１１１が標示板３１の上側の枠フレーム３１３の角部３１３ｂと接するとともに支持部１２が標示板３１の上側の枠フレーム３１３の角部３１３ａと接している。
【００３１】
つまり、収納部１１の対向面１１１の角部３１３ａと接する部分を支点としたときの、警告灯２が収納された収納部１１の重みを、収納部１１の対向面１１１の角部３１３ｂと接する部分で受け止め、さらに、ストッパー１３の当接部１３１が標示板３１の裏面３１２と当接することで、収納部１１の対向面１１１の角部３１３ｂと接する部分を支点としたときの、警告灯２が収納された収納部１１の重みを当接部１３１で受け止めるので、標示板３１の裏面３１２側に警告灯２が収納された収納部１１の揺動を止め、収納部１１を安定させることになる。
【００３２】
以上に説明したように、取付装置１では、開口部１１２を有して開口部１１２から警告灯２の本体部２２が収納されて発光部２１を上方に突出させる箱状の収納部１１と、収納部１１に設けられ、標示板３１の上側の枠フレーム３１３に掛けられて収納部１１を標示板３１の裏面３１２側に配置する支持部１２と、を備える構成としているので、標示板３１の上部に警告灯２を配置できる。
【００３３】
また、支持部１２が、収納部１１の対向面１１１側に配設され、収納部１１の対向面１１１には、標示板３１の裏面３１２側に突出して、標示板３１の裏面３１２と当接するストッパー１３が配置され、支持部１２より下側にストッパー１３が配置される構成としている。
【００３４】
ストッパー１３が標示板３１の裏面３１２と当接することで、警告灯２が収納された収納部１１の揺動が止められるので、警告灯２の設置状態の安定性を向上させることができる。
【００３５】
また、ストッパー１３の標示板３１の裏面３１２との当接部１３１を、標示板３１の裏面３１２と面接触可能に形成している。これにより、ストッパー１３が、標示板３１の裏面３１２に当接する際の、単位面積当たりの力のかかりを減少させることができるので、標示板３１を傷つけることを防止することができる。
【００３６】
なお、ストッパー１３は、支持部１２より下側に配置されるものであれば、対向面１１１に配置する位置、数は適宜選択することができる。また、当接部１３１が裏面３１２と点接触、線接触するように形成してもよい。
【００３７】
また、支持部１２は、上記の態様にはこだわらない。例えば側面視において断面を逆Ｕ字状に形成して自由端側が下側に向かうように形成してもよい。
【００３８】
また、ストッパー１３を設けない場合には、支持部１２の側面断面形状を、標示板３１の上側の枠フレーム３１３又は標示板３１及び標示板３１の上側の枠フレーム３１３の側面断面形状に対応した形状とすることで、警告灯２の設置状態の安定性を向上させることができる。
【００３９】
また、収納部１１の形状は、上記の態様にこだわらない。例えば、収納される表示灯により、一方を閉塞した円筒状や多角筒状とすることができる。
【符号の説明】
【００４０】
１  取付装置
１１  収納部
１１１  対向面
１１２  開口部
１２  支持部
１３  ストッパー
１３１  当接部
２  警告灯
２１  発光部
２１１  発光体
２２  本体部
３  道路標識
３１  表示板
３１１  表面
３１２  裏面
３１３  枠フレーム
３１３ａ  角部
３１３ｂ  角部
３２  脚フレーム部
Ｆ  路面
【図１】
0003170968.tif 000003
【図２】
0003170968.tif 000004
【図３】
0003170968.tif 000005
【図４】
0003170968.tif 000006